【事件の表示】
　特願２００５−２３０８６８「後処理可能なパンツ型おむつ」拒絶査定不服審判事件〔平成１７年１２月　８日出願公開、特開２００５−３３４６７６〕について、次のとおり審決する。
【結　論】
　本件審判の請求は、成り立たない。
【理　由】
第１　手続の経緯
　本願は、平成１３年２月１６日に出願した特願２００１−３９６７６号の一部を平成１７年８月９日に新たな特許出願としたものであって、平成２０年９月１７日付けで通知された拒絶理由に対し、平成２０年１１月１８日付けで特許請求の範囲及び明細書を対象とする手続補正がなされたが、当該手続補正は新規事項を追加するものであるとして平成２１年２月２日付けで最後の拒絶理由が通知されたところ、これに対して平成２１年３月１９日付けで特許請求の範囲及び明細書を対象とする手続補正がなされたものの、当該手続補正が特許法第１７条の２第４項の規定を満たさないものであるとして平成２１年４月７日付けで却下されるとともに、同日付けて拒絶査定がなされたものであり、そして、これを受けて、当該拒絶査定に対してこれを不服として、平成２１年７月１０日に拒絶査定不服審判が請求されたものである。
　
第２　当審の判断
１．特許請求の範囲の記載
　平成２１年３月１９日付け手続補正は却下されたため、審理対象となるのは、平成２０年１１月１８日付け手続補正（以下、「本件補正」という。）により補正された特許請求の範囲、明細書及び図面である。
　そして、本件補正後の特許請求の範囲の記載は、以下のとおりである。
「【請求項１】
　ウエスト開口部および左右一対のレッグ開口部を有し、　ウエスト部に、周方向に沿って延在する複数本のウエスト伸縮部材が縦方向に間隔を空けて固定されるとともに、腰下部にも、周方向に沿って延在する複数本の腰下部伸縮部材が縦方向に間隔を空けて固定されている、　パンツ型おむつであって、
　おむつ後身頃における前記ウエスト伸縮部材及び腰下部伸縮部材のうち、最も腰下部伸縮部材側に位置するウエスト伸縮部材と、最もウエスト伸縮部材側に位置する腰下部伸縮部材とが縦方向に離間されているとともに、この離間領域内における幅方向中央部を除く両脇部の外面にテープファスナーがそれぞれ備え付けられており、
　前記テープファスナーの上端と前記最も腰下部伸縮部材側に位置するウエスト伸縮部材とが、及び前記テープファスナーの下端と前記最もウエスト伸縮部材側に位置する腰下部伸縮部材とが、それぞれ前記複数本の腰下部伸縮部材の縦方向間隔よりも狭い離間距離で近接しており、
　前記テープファスナーは、外面シートを構成する不織布と係合可能な係合部材を先端部に有しかつ基端部が前記脇部に固定され、先端部と基端部との間の部分が伸縮性を有するものとされており、おむつ使用時にはおむつ胴周り方向の締め付け度合いの調整に使用され、かつおむつ廃棄時にはおむつを丸めた状態に保持するのに使用されるように構成された、
　ことを特徴とする後処理可能なパンツ型おむつ。」
　
２．新規事項追加
　当審は、本件補正後の特許請求の範囲は、願書に最初に添付した特許請求の範囲、明細書又は図面（以下、「当初明細書等」という。）に記載した事項の範囲内ではないものを含んでいるから、本件補正は、新たな技術的事項を導入するものであると判断する。その理由は、以下のとおりである。
　
（１）本件補正により追加された事項
　本件補正後の特許請求の範囲の記載は、上記１．に記載したとおりであり、本件補正は、特許請求の範囲の請求項１に、以下の（ａ）ないし（ｃ）の事項を追加するものである。（下線は補正箇所を示す。）
（ａ）「
ウエスト部に、周方向に沿って延在する複数本のウエスト伸縮部材が縦方向に間隔を空けて固定されるとともに、腰下部にも、周方向に沿って延在する複数本の腰下部伸縮部材が縦方向に間隔を空けて固定されている
（ｂ）「おむつ後身頃における
前記ウエスト伸縮部材及び腰下部伸縮部材のうち、最も腰下部伸縮部材側に位置するウエスト伸縮部材と、最もウエスト伸縮部材側に位置する腰下部伸縮部材とが縦方向に離間されているとともに、この離間領域内
の外面
付けられており
（ｃ）「
前記テープファスナーの上端と前記最も腰下部伸縮部材側に位置するウエスト伸縮部材とが、及び前記テープファスナーの下端と前記最もウエスト伸縮部材側に位置する腰下部伸縮部材とが、それぞれ前記複数本の腰下部伸縮部材の縦方向間隔よりも狭い離間距離で近接しており
　
（２）当初明細書等の記載
　当初明細書等には、次の記載がある。
「【発明が解決しようとする課題】
　【０００６】
　しかし、この種の後処理テープは、製品のコストに占める割合は無視できる程度のものではなく、しかも環境保護の高まりから可能な限り紙おむつ本体の素材を有効に活用したいとの要請がある。
　【０００７】
　また、後処理テープを使用する場合、これが紙おむつ本体の後身頃一箇所についているため丸める方向が規制されてしまうため、やり直ししなければならない不便を感じる時もある。
　【０００８】
　さらに、テープファスナーの先端部の粘着剤が外れたり、その後に再度止着を試みると、粘着剤の接着強度が低下し、止着ができないことがある。
　【０００９】
　他方、後処理の際に左右一対のレッグ開口部から排泄物が漏れやすいために、両側部をそれぞれ内側に畳み込み、その後前後方向に丸め込む後処理形態があるものの、後処理テープを使用する場合には、締め付け力を大きく出来ないので、かかる後処理形態をとることができない。」
　
「【００１２】
　＜作用効果＞
　本発明ではテープファスナーが伸縮性を有しているので、おむつの廃棄時には、股間部側を前身頃側に巻き上げた後、後身頃両脇のテープファスナーを引き伸ばし、巻き上げ部外面に係合させることにより、両サイドからの汚物の漏れも無く確実に包み込み、紙おむつを廃棄することができる。
　【００１３】
　そして本発明では、かかるテープファスナーを、装着中おむつの胴周り方向の締め付け度合いを調整するためにも兼用する。よって、これら締め付け度合いを調整用のテープと廃棄用テープとを別々に設けるのと比べて、資材コストを節約することができる。また本テープファスナーは前述のとおり伸び縮みするので、胴周り方向の締め付けが固定的に作用せず、着用者の動きに応じて確実にフィットするようになる利点もある。」
　
「【発明を実施するための最良の形態】
　【００２８】
　以下、本発明を図面に示す実施の形態によってさらに詳説する。
　＜用語の説明および第１の発明の実施形態＞
　・・・。すなわち、本例の紙おむつは、外面シート５と、この外面シート５に固定され、おむつ幅方向中央において股間部４を中心として前後方向に延在する吸収体要素ＡＢとで構成されている。
　【００２９】
　外面シート５は複数枚の不織布を積層固定してなり、この外面シート５と吸収体要素ＡＢとを重ね合わせた後の製造工程の最終段階で、前身頃Ｆと後身頃Ｂとの両側縁部の長手方向全体を超音波シールや熱溶融などの手段により接合する（この接合部を符号３０としてある）ことにより、図３に示されているようにウエスト開口部ＷＯおよび左右一対のレッグ開口部ＬＯが形成される。」
　
「【００３１】
　外面シート５の不織布間には、ウエスト部Ｗにウエスト開口縁のフィット性を高めるための複数本のウエスト伸縮部材８が、腰下部Ｕに胴周りのフィット性を高め、尿の前後漏れを防止するための複数本の腰下部伸縮部材７がそれぞれ固定されている。伸縮部材７および８は、たとえば適宜の太さおよび断面形状を有する天然ゴム糸や合成ゴム糸を使用できる。」
　
「【００３５】
　そしてかかる構成のもと、本発明に従って図４に示すように、おむつ後身頃の端部両脇部に、本発明に従った胴周り締め付け調整・廃棄時丸め状態保持兼用テープファスナー６０，６０がそれぞれ設けられている。
　【００３６】
　この本発明に従ったテープファスナー６０は、図５に示すように、外面シートを構成する不織布と係合可能な係合部材６１を先端部に有しかつ基端部６３が前記脇部に固定され、少なくとも先端部と基端部との間の部分６２が伸縮性を有するものとされたものである。具体的には、天然ゴムや合成ゴム等の弾性伸縮性素材からなる基材テープ６２の先端部の裏面（おむつ側面）に係合部材６１（多数の茸状フックを有するフック部材等）を固定するとともに、基端部裏面（おむつ側面）を接着剤６３によりおむつ外面に固定することができる。」
　
（３）判断
ア　補正事項（ａ）について
　補正事項（ａ）に関して、当初明細書等の段落【００３１】に、ウエスト部Ｗに複数本のウエスト伸縮部材８を、また、腰下部Ｕに複数本の腰下部伸縮部材７が設けられることが記載されているが、それぞれの伸縮部材が縦方向に間隔を空けて固定されていることは記載されていない。しかし、図面の図１、３、４、６に、ウエスト伸縮部材８と腰下部伸縮部材７のそれぞれの伸縮部材を間隔を空けて配置していることが記載されていることから、上記補正事項（ａ）は、当初明細書等に記載された事項であり、新たな技術的事項を導入するものではない。
　
イ　補正事項（ｂ）について
　補正事項（ｂ）に関して、当初明細書等の段落【００３１】に、ウエスト部Ｗに複数本のウエスト伸縮部材８を、また、腰下部Ｕに複数本の腰下部伸縮部材７が設けられることが記載されているが、最も腰下部伸縮部材７側に位置するウエスト伸縮部材８と、最もウエスト伸縮部材８側に位置する腰下部伸縮部材７との配置関係は記載されておらず、また、テープファスナー６０の配置についても、段落【００３５】に、おむつ後身頃の端部両脇部に配置することが記載されているが、テープファスナー６０とウエスト伸縮部材８及び腰下部伸縮部材７との配置関係は記載されていない。
　一方、図面の図１、３、４、６に、最も腰下部伸縮部材７側に位置するウエスト伸縮部材８と、最もウエスト伸縮部材８側に位置する腰下部伸縮部材７とが縦方向に離間し配置され離間領域を形成していることが記載されている。また、テープファスナー６０の配置については、図面の図４においては、後身頃の上記離間領域に配置されていることが記載されているものの、図６においては、テープファスナー６０の上端は、最も腰下部伸縮部材７側に位置するウエスト伸縮部材８と一部重複するように配置していることが記載されている。
　以上のことを総合すると、当初明細書等には、最も腰下部伸縮部材７側に位置するウエスト伸縮部材８と、最もウエスト伸縮部材８側に位置する腰下部伸縮部材７とが縦方向に離間し配置されることは記載されていると認められる。また、テープファスナー６０の配置についても、最も腰下部伸縮部材７側に位置するウエスト伸縮部材８とは一部重複しているものも含み、さらに、最も腰下部伸縮部材７側に位置するウエスト伸縮部材８や最もウエスト伸縮部材８側に位置する腰下部伸縮部材７との正確な位置関係が記載されているとはいえないものの、概ね、後身頃の離間領域に設けられていることが記載されているものということができる。
　したがって、上記補正事項（ｂ）は、当初明細書等に記載された事項であり、新たな技術的事項を導入するものではない。
　
ウ　補正事項（ｃ）について
　まず、補正事項（ｃ）は、当初明細書等に明示的に記載されているものではない。
　そして、上記「イ」で検討したとおり、当初明細書等には、テープファスナー６０と、最も腰下部伸縮部材７側に位置するウエスト伸縮部材８や最もウエスト伸縮部材８側に位置する腰下部伸縮部材７とは、間隔を置いて配置しても一部重複させて配置してもよいものが記載されているに止まり、少なくとも、特定の距離を定めて配置するということは記載されていないというべきである。
　さらに、腰下部伸縮部材７のそれぞれの伸縮部材を間隔についても、上記「ア」で検討したように、腰下部伸縮部材７のそれぞれの伸縮部材を間隔を空けて配置していることが記載されているに止まり、その間隔の具体的な距離は記載されていない。
　そうしてみると、当初明細書等には、テープファスナー６０と最も腰下部伸縮部材７側に位置するウエスト伸縮部材８や最もウエスト伸縮部材８側に位置する腰下部伸縮部材７との間隔や、腰下部伸縮部材７のそれぞれの伸縮部材の間隔を、特定の間隔に定めることは記載されているとはいえないから、これらそれぞれの間隔の関係を上記補正事項（ｃ）のように特定の間隔に定めるということも同様に記載されていないというべきである。
　そして、請求人が平成２０年１１月１８日付け意見書の【意見の内容】、（１）において、「明細書に記載はないが、ウエスト伸縮部材及び腰下部伸縮部材による締め付けとテープファスナーによる締め付けとが連続的になり、テープファスナーによる締め付け調整を行った際に、テープファスナーの上下に不自然な皺なダブツキが発生し難くなる等の作用効果を奏するものである。」と主張しているように、当該補正事項（ｃ）が、当初明細書等には記載されていない新たな課題の解決に寄与する技術的な意義を有する事項であることは明らかであるから、この補正事項（ｃ）を追加する補正は、新たな技術的事項を導入するものである。
　
　なお、図面の図４には、テープファスナー６０の上端と最も腰下部伸縮部材７側に位置するウエスト伸縮部材８と、テープファスナー６０の下端と最もウエスト伸縮部材８側に位置する腰下部伸縮部材７とが、それぞれ複数本の腰下部伸縮部材７の縦方向間隔よりも狭い離間距離で近接して配置することが記載されているように見えるが、図４は、あくまでも略図であり、特定の技術を開示しているとは認められないとともに、図４のみならず図６を含めた当初明細書等の全体の記載を総合すれば、上記「ア」ないし「ウ」で検討したとおり、上記補正事項（ｃ）は当初明細書等に記載された事項ではないというべきである。
　
　以上のように、本件補正後の請求項１は、特許法第１７条の２第３項の規定に違反する補正がされているから、本願は特許することができない。
　
＜＜特許法第２９条第２項について＞＞
　なお、上記のように、本件補正は新規事項を追加するものであり、本願は特許することができないものであるが、念のために、本件補正後の請求項１に係る発明の進歩性についても検討する。
　
　本願の請求項１に係る発明と引用文献１（実願平５−１９９３８号（実開平６−７７７１９号）のＣＤ−ＲＯＭ）に記載された発明（特に、図８）と対比すると以下の点で相違している。
【相違点１】
　請求項１に係る発明では、「ウエスト部に、周方向に沿って延在する複数本のウエスト伸縮部材が縦方向に間隔を空けて固定される」ものであるのに対し、引用文献１に記載された発明では、ウエスト部２０５に糸ゴムからなる弾性部材７を設けるものであるが（図８、段落【００１１】、【００１６】）、その本数や配置間隔が不明である点。
【相違点２】
　請求項１に係る発明では、「前記テープファスナーの上端と前記最も腰下部伸縮部材側に位置するウエスト伸縮部材とが、及び前記テープファスナーの下端と前記最もウエスト伸縮部材側に位置する腰下部伸縮部材とが、それぞれ前記複数本の腰下部伸縮部材の縦方向間隔よりも狭い離間距離で近接」しているのに対し、引用文献１に記載された発明では、テープファスナー２１０と、ウエスト部２０５に設けられた弾性部材７や弾性伸縮部材２２０との間隔や、当該間隔とそれぞれの弾性伸縮部材２２０間の間隔との関係が不明である点。
【相違点３】
　請求項１に係る発明では、「前記テープファスナーは、外面シートを構成する不織布と係合可能な係合部材を先端部に有しかつ基端部が前記脇部に固定され、先端部と基端部との間の部分が伸縮性を有する」ものであるのに対し、引用文献１に記載された発明では、不織布からなる台紙１３と粘着層１４から構成（図３、段落【００１９】〜【００２１】）されている点。
　
（１）相違点１について
　おむつの技術分野において、ウエスト部の糸ゴムの本数や配置間隔を好適に特定することは当業者の適宜なし得る設計的事項である。
　
（２）相違点２について
　引用文献１の弾性伸縮部材２２０の配置や間隔は、図２、７、８においてそれぞれ異なる態様とされているように、おむつの身体への密着性などを考慮して適宜設定すべきものであり、また、テープファスナー２１０の配置や弾性伸縮部材２２０との位置関係も、同様に、図２、７、８においてそれぞれ異なる態様とされているように、胴回り部の調整や廃棄時のテープ止めを好適にすることを考慮して適宜設定すべきものである。してみれば、請求項１に係る発明の上記相違点２の構成は、腰下部伸縮部材やテープファスナーの好適な配置の一例というべきものであり、当業者であれば容易になし得たものである。
　
（３）相違点３について
　引用文献１に記載された発明の台紙１３の先端部と基端部のみに粘着層１４を設けるようにすることは、単なる構成の変更にすぎず当業者の適宜なし得る設計的事項である。
　また、引用文献２（実願平３−９７７７５号（実開平５−３９５３１号）のＣＤ−ＲＯＭ）に、止着テープ１１として伸縮性のテープ素材を使用することが記載されており（段落【００１４】）、これを引用文献１に記載された発明の台紙１３に適用し、伸縮性を有するものとすることは当業者であれば容易になし得たことである。
　
　また、請求項１に係る発明の効果も格別顕著なものであるとも認められない。
　
　以上のように、本願の請求項１に記載された発明は、引用文献１、２に記載された発明に基づいて当業者が容易にすることができたものであるから、特許法第２９条第２項の規定により、特許を受けることができない。